(57)【特許請求の範囲】
【請求項１】
乗用田植機の後方位置に連結機構により保持枠体を上下動自在に連結し、該保持枠体に水田土壌面を溝切可能な溝切体を設けてなり、上記溝切体を溝切作業位置から上方退避位置へと退避動作させる退避機構を設けてなり、上記保持枠体に支持枠体を支点軸を中心にして左右水平揺動自在に設け、該支持枠体の左右両側部に伸縮筒を設け、上記退避機構として、該伸縮筒に取付部材を設け、各取付部材に支点横軸を設け、該各支点横軸に旋回部材を上下旋回自在に設け、各旋回部材に上記溝切体を筒部及び取付軸からなる首振機構により水平首振自在に設け、該旋回部材に形成した挿通孔及び伸縮筒に設けた位置決めピンからなり、各旋回部材を上記溝切体の溝切作業位置及び上方退避位置に位置固定可能な固定機構を設けてなることを特徴とする乗用田植機用溝切機。
【発明の詳細な説明】
【技術分野】
【０００１】
本発明は例えば水田内に円滑な入排水のための排水溝を切る際に用いられる乗用田植機用溝切機に関するものである。
【背景技術】
【０００２】
従来、この種の乗用田植機用溝切機として、乗用田植機の後方位置に連結機構により保持枠体を上下動自在に連結し、保持枠体に水田土壌面を溝切可能な溝切体を設けてなる構造のものが知られている。
【特許文献１】特開平４−２１０５０１号公報
【発明の開示】
【発明が解決しようとする課題】
【０００３】
しかしながらこれら従来構造の場合、溝切作業開始に際し、乗用田植機用溝切機を農道やあぜ道から水田内に乗り込むとき、又は、溝切作業完了に際し、乗用田植機用溝切機を水田内から農道やあぜ道へと搬出するとき、水田と農道やあぜ道との段差が大きい場合、乗用田植機が大きく傾いて溝切体が法面等に衝突してしまうことがあり、搬入出作業性を低下させることがあるという不都合を有している。
【課題を解決するための手段】
【０００４】
本発明はこれらの不都合を解決することを目的とするもので、請求項１記載の発明は、乗用田植機の後方位置に連結機構により保持枠体を上下動自在に連結し、該保持枠体に水田土壌面を溝切可能な溝切体を設けてなり、上記溝切体を溝切作業位置から上方退避位置へと退避動作させる退避機構を設けてなり、上記保持枠体に支持枠体を支点軸を中心にして左右水平揺動自在に設け、該支持枠体の左右両側部に伸縮筒を設け、上記退避機構として、該伸縮筒に取付部材を設け、各取付部材に支点横軸を設け、該各支点横軸に旋回部材を上下旋回自在に設け、各旋回部材に上記溝切体を筒部及び取付軸からなる首振機構により水平首振自在に設け、該旋回部材に形成した挿通孔及び伸縮筒に設けた位置決めピンからなり、各旋回部材を上記溝切体の溝切作業位置及び上方退避位置に位置固定可能な固定機構を設けてなることを特徴とする乗用田植機用溝切機にある。
【発明の効果】
【０００５】
本発明は上述の如く、請求項１記載の発明にあっては、水田内において、連結機構により溝切体を下降動作させ、乗用田植機を走行させると、溝切体は水田内で牽引走行し、溝切体は水田土壌面に溝を切ることになり、そして、溝切作業完了後、図９の如く、退避機構により溝切体を溝切作業位置から上方退避位置へと退避動作させ、乗用田植機により水田内から農道やあぜ道に搬出することになり、したがって、上記退避機構により溝切体を溝切作業位置から上方退避位置へと退避動作させることにより、水田と農道やあぜ道との段差によって乗用田植機が傾いたとしても、溝切体が法面等に衝突することを抑制することができ、又、溝切作業開始に際し、乗用田植機用溝切機を農道やあぜ道から水田内に乗り込むとき、退避機構により溝切体を溝切作業位置から上方退避位置へと退避動作させることにより、水田と農道やあぜ道との段差によって乗用田植機が傾いたとしても、溝切体が法面等に衝突することを抑制することができ、搬入出作業性を高めることができ、上記保持枠体に支持枠体を支点軸を中心にして左右水平揺動自在に設け、該支持枠体の左右両側部に伸縮筒を設けているから、溝切体の遊動により溝切動作を良好に行うことができ、上記退避機構として、伸縮筒に取付部材を設け、各取付部材に支点横軸を設け、該各支点横軸に旋回部材を上下旋回自在に設け、各旋回部材に上記溝切体を筒部及び取付軸からなる首振機構により水平首振自在に設け、かつ、旋回部材に形成した挿通孔及び伸縮筒に設けた位置決めピンからなり、各旋回部材を上記溝切体の溝切作業位置及び上方退避位置に位置固定可能な固定機構を設けているから、溝切体の退避を確実に行うことができ、支持枠体の支点軸を中心とする左右水平揺動により溝切体の溝切動作を良好に行うことができ、首振機構による溝切体の遊動により溝切動作を一層良好に行うことができる。
【発明を実施するための最良の形態】
【０００６】
図１乃至図１０は本発明の実施の形態例を示し、１は乗用田植機であって、この乗用田植機１は機体１ａ及び車輪１ｂを備えてなり、乗用田植機１の後方位置に連結機構２により取り付けられた図示省略の田植機機構を取り外し、この田植機機構の代わりに、連結機構２により保持枠体３を連結して構成している。
【０００７】
この連結機構２は、基端部を枢着された左右一対の上リンク２ａ・２ａ、左右一対の下リンク２ｂ・２ｂ及びシリンダ機構２ｃからなり、上リンク２ａ・２ａ及び下リンク２ｂ・２ｂの先端部に保持枠体３の一部としての保持リンク３ａを枢着し、このシリンダ機構２ｃにより保持リンク３ａを上下揺動自在に設けている。
【０００８】
４は溝切体、５退避機構であって、この場合、溝切体４は断面略Ｖ状にして平面先細り樋状に形成され、水田土壌面Ｍに略Ｖ状の溝Ｆを切る形状に形成され、上記保持リンク３ａに筒部３ｂを形成し、筒部３ｂに支点軸３ｃを回動自在に軸受し、支点軸３ｃの前端部に上記一対の下リンク２ｂ・２ｂの底面に交互に当接可能なボルト３ｄ・３ｄを取付け、支点軸３ｃの先端部に角パイプ状の支持枠体６を取付片３ｅ及びボルト３ｆにより取付け、支持枠体６の左右両側に伸縮筒３ｇ・３ｇを突没自在に挿通固定し、伸縮筒３ｇ・３ｇの外方端面に取付部材７を取付け、各伸縮筒３ｇ・３ｇに固定機構８としての位置決めピン８ａ・８ａを軸受板８ｂ・８ｂ及びバネ８ｃ・８ｃにより突出孔８ｄ・８ｄより突没自在に設け、かつ、伸縮筒３ｇ・３ｇの上面に位置決め板８ｆを設け、位置決め板８ｆに係止溝８ｇを形成し、旋回部材９・９に６個の挿通孔９ａを形成し、この６個の挿通孔９ａのうちの端部からそれぞれ３個目となる２個の挿通孔９ａのいずれか一つを選択して挿通して取付部材７に対して支点横軸１０により旋回部材９・９を１８０度上下旋回自在に設けると共に固定機構８としての位置決めピン８ａ・８ａを対向する挿通孔９ａに挿通することにより旋回部材９・９を上下旋回位置に位置決め固定自在に設け、位置決めピン８ａを位置決め板８ｆに係止溝８ｇに係止することによりバネ８ｃに抗して位置決めピン８ａを没入位置に保持し、かつ、旋回部材９・９に首振機構１１としての筒部１１ａ・１１ａを垂設し、筒部１１ａ・１１ａに取付軸１１ｂ・１１ｂを水平旋回自在に軸受し、筒部１１ａ・１１ａに約１２０度程度の範囲の案内溝１１ｃ・１１ｃを形成し、取付軸１１ｂ・１１ｂに案内溝１１ｃ・１１ｃに嵌合可能なピン１１ｄ・１１ｄを突設し、取付軸１１ｂ・１１ｂに溝切体４を取付けて構成している。
【０００９】
しかして、退避機構５の固定機構８としての位置決めピン８ｄ・８ｄを挿通孔９ａ・９ａより抜き外し、旋回部材９・９を支点横軸１０を中心として上下旋回位置させると共に旋回位置にて固定機構８の位置決めピン８ｄ・８ｄを挿通孔９ａ・９ａに挿通することにより、上記溝切体４を下方となる溝切作業位置Ａ又は上方退避位置Ｂに固定することができる。
【００１０】
又、この溝切体４は左右両側位置に並列配置され、かつ、支点軸３ｃを中心として左右水平揺動自在となり、更に、この溝切体４は首振機構１１により水平首振自在となる。
【００１１】
この実施の形態例は上記構成であるから、図８の如く、水田内において、連結機構２により溝切体４を下降動作させ、乗用田植機１を走行させると、溝切体４は水田内で牽引走行し、溝切体４は水田土壌面Ｍに溝Ｆを切ることになり、そして、溝切作業完了後、図９の如く、退避機構５により溝切体４を溝切作業位置Ａから上方退避位置Ｂへと退避動作させ、乗用田植機１により水田内から農道やあぜ道Ｇに搬出することになる。
【００１２】
したがって、上記退避機構５により溝切体４を溝切作業位置Ａから上方退避位置Ｂへと退避動作させることにより、水田と農道やあぜ道Ｇとの段差によって乗用田植機が傾いたとしても、溝切体が法面Ｋ等に衝突することを抑制することができ、又、溝切作業開始に際し、乗用田植機用溝切機を農道やあぜ道から水田内に乗り込むとき、退避機構５により溝切体４を溝切作業位置Ａから上方退避位置Ｂへと退避動作させることにより、水田と農道やあぜ道との段差によって乗用田植機が傾いたとしても、溝切体が法面等に衝突することを抑制することができ、搬入出作業性を高めることができる。
【００１３】
又、この場合、上記保持枠体３に支持枠体６を支点軸３ｃを中心にして左右水平揺動自在に設け、該支持枠体の左右両側部に伸縮筒３ｇを設けているから、溝切体の遊動により溝切動作を良好に行うことができ、上記退避機構として、伸縮筒３ｇ・３ｇに取付部材７を設け、各取付部材７に支点横軸１０・１０を設け、該各支点横軸１０・１０に旋回部材９・９を上下旋回自在に設け、各旋回部材９・９に上記溝切体４・４を筒部１１ａ及び取付軸１１ｂからなる首振機構１１により水平首振自在に設け、かつ、旋回部材９に形成した挿通孔９ａ及び伸縮筒３ｇに設けた位置決めピン８ａからなり、各旋回部材９・９を上記溝切体４・４の溝切作業位置Ａ及び上方退避位置Ｂに位置固定可能な固定機構８・８を設けているから、溝切体４の退避を確実に行うことができ、支持枠体６の支点軸３ｃを中心とする左右水平揺動により溝切体４・４の溝切動作を良好に行うことができ、首振機構１１による溝切体４・４の遊動により溝切動作を一層良好に行うことができる。
【００１４】
尚、本発明は上記実施の形態例に限られるものではなく、例えば、退避機構５、固定機構８の構造、溝切体４の配置個数、乗用田植機１の構造等は適宜変更して設計されるものである。
【００１５】
以上、所期の目的を充分達成することができる。
【図面の簡単な説明】
【００１６】
【図１】本発明の実施の形態例の全体側面図である。
【図２】本発明の実施の形態例の全体平面図である。
【図３】本発明の実施の形態例の全体後面図である。
【図４】本発明の実施の形態例の部分側断面図である。
【図５】本発明の実施の形態例の部分平断面図である。
【図６】本発明の実施の形態例の部分平面図である。
【図７】本発明の実施の形態例の部分側断面図である。
【図８】本発明の実施の形態例の使用状態図である。
【図９】本発明の実施の形態例の使用状態図である。
【図１０】本発明の実施の形態例の部分斜視図である。
【符号の説明】
【００１７】
Ｍ    水面土壌面
Ｆ    溝
Ａ    溝切作業位置
Ｂ    上方退避位置
１    乗用田植機
２    連結機構
３    保持枠体
３ｃ    支点軸
３ｇ 伸縮筒
４    溝切体
５    退避機構
６    支持枠体
７    取付部材
８    固定機構
８ａ 位置決めピン
９    旋回部材
９ａ 挿通孔
１０    支点横軸
１１    首振機構
１１ａ 筒部
１１ｂ 取付軸
【図４】
0004741918.tif 000002
【図５】
0004741918.tif 000003
【図６】
0004741918.tif 000004
【図１０】
0004741918.tif 000005
【図１】
0004741918.tif 000006
【図２】
0004741918.tif 000007
【図３】
0004741918.tif 000008
【図７】
0004741918.tif 000009
【図８】
0004741918.tif 000010
【図９】
0004741918.tif 000011